(57)【要約】【課題】フラットケーブルを折り曲げた状態で安定保持できるようにすること。【解決手段】折り曲げ基準辺１４を外周縁に有すると共に、表面ＴＡ側に折り曲げ線Ｓの手前側のフラットケーブルＦＣａが載置され、裏面側に折り曲げ線の先方側のフラットケールＦＣｂが載置される基板１１と、基板の表面側と裏面側にそれぞれ設けられ、折り曲げ線の手前側のフラットケーブルおよび先方側のフラットケーブルを基板の表面および裏面に沿わせてそれぞれ保持する保持片１２と、基板上に設けられ、所定の挟角をもって延びる折り曲げ線の手前側と先方側のフラットケーブルの外側縁側に位置して、各保持片により保持された手前側と先方側のフラットケーブルの外側への跳ね返りを規制する規制部１３と、フラットケーブルの長手方向の位置決めを行なう突起１９と、を備える。【選択図】図６
2007109497.tif 000002
【特許請求の範囲】
【請求項１】
フラットケーブルを折り曲げる際の折り曲げ線が位置決めされる直線状の折り曲げ基準辺を外周縁に有すると共に、板面の表面側に前記折り曲げ線の手前側のフラットケーブルが載置され、且つ、板面の裏面側に前記折り曲げ線の先方側のフラットケールが載置される基板と、
該基板の表面側と裏面側にそれぞれ設けられ、前記折り曲げ線の手前側のフラットケーブルおよび先方側のフラットケーブルを前記基板の表面および裏面に沿わせてそれぞれ保持する保持片と、
前記基板上に設けられ、所定の挟角をもって延びる前記折り曲げ線の手前側と先方側のフラットケーブルの外側縁側に位置して、各保持片により保持された前記手前側と先方側のフラットケーブルの外側への跳ね返りを規制する規制部と、
を備えることを特徴とするフラットケーブル用折り曲げ保持具。
【請求項２】
前記基板の表面側と裏面側の保持片の少なくとも一方が、該保持片と前記基板との間にフラットケーブルを挟持する挟持板として設けられ、且つ、前記規制部を兼ねる支持部により、基板との間にフラットケーブルを挿入し得る隙間を開けて片持支持されており、その保持片の自由端側に、該保持片と基板との間にフラットケーブルを挿入するための挿入口が確保されていることを特徴とする請求項１に記載のフラットケーブル用折り曲げ保持具。
【請求項３】
前記基板の板面上に、前記フラットケーブル側の孔に係合することでフラットケーブルの長手方向の位置決めを行なう位置決め突起が設けられていることを特徴とする請求項２に記載のフラットケーブル用折り曲げ保持具。
【請求項４】
前記挟持板として設けられた保持片の下面に、前記フラットケーブルの表面の凸部の嵌まる溝が形成されていることを特徴とする請求項２または３に記載のフラットケーブル用折り曲げ保持具。
【請求項５】
前記基板の表面側と裏面側の保持片の少なくとも一方が、前記フラットケーブル側に形成された貫通孔に突き通すことでフラットケーブルを長手方向に位置決めしながら保持する貫通板として設けられ、且つ、前記規制部を兼ねる支持部により、基板との間にフラットケーブルを挿入し得る隙間を開けて片持支持されており、その保持片の自由端側に、該保持片と基板との間にフラットケーブルを挿入するための挿入口が確保されていることを特徴とする請求項１に記載のフラットケーブル用折り曲げ保持具。
【請求項６】
前記貫通板として設けられた保持片の上面と下面に、前記フラットケーブルの表面の凸部の嵌まる溝が形成されていることを特徴とする請求項５に記載のフラットケーブル用折り曲げ保持具。
【請求項７】
前記貫通板として設けられた保持片の自由端が楔形断面に形成されていることを特徴とする請求項５または６に記載のフラットケーブル用折り曲げ保持具。
【請求項８】
前記挿入口または前記挿入口の延長上の位置に、挿入口から前記基板と保持片との間に挿入したフラットケーブルの抜け止めを行なう抜け止め突起が設けられていることを特徴とする請求項２〜７のいずれかに記載のフラットケーブル用折り曲げ保持具。
【請求項９】
前記基板が、前記折り曲げ線の手前側のフラットケーブルおよび先方側のフラットケーブルがそれぞれ載置される左右一対の帯板状の袖部を有した平面視Ｌ字形をなしており、そのＬ字形の基板の外周角部が、前記各袖部の延長方向に対し傾斜した斜辺でカットされ、その斜辺でカットされた縁部が、前記折り曲げ線の長さ以上の長さを有した前記折り曲げ基準辺として形成されていることを特徴とする請求項１〜８のいずれかに記載のフラットケーブル用折り曲げ保持具。
【請求項１０】
前記袖部のうちの少なくとも一方に、該袖部と共に前記フラットケーブルをテープ巻きするためのテープ巻き用凹部が設けられていることを特徴とする請求項９に記載のフラットケーブル用折り曲げ保持具。
【請求項１１】
前記基板の表面側および裏面側に、前記フラットケーブルを載置する位置およびフラットケーブルを前記保持片に係合させるための作業スペースを避けて、平坦な被取付面に対して安定的に当接させるための、前記保持片以上の高さを有する取付面が設けられていることを特徴とする請求項１〜１０のいずれかに記載のフラットケーブル用折り曲げ保持具。
【発明の詳細な説明】
【技術分野】
【０００１】
本発明は、例えば、ＦＦＣ｛即ち、Ｆｌｅｘｉｂｌｅ  Ｆｌａｔ  Ｃａｂｌｅ（フレキシブルフラットケーブル）｝、リボン電線、等といった可撓性を有するフラットケーブルを例えば自動車等といった車両の内部に配索する際に用いられるフラットケーブル用折り曲げ保持具に係り、特にフラットケーブルを折り曲げて方向を変える際に用いられるフラットケーブル用折り曲げ保持具に関する。
【背景技術】
【０００２】
例えば、自動車の内部において配索されるフラットケーブルは、配索しようとする経路に応じて方向を変えるために任意の角度に折り曲げられることが多い。フラットケーブルを折り曲げるための手段としては、図１７（ａ）〜図１７（ｃ）に示すような折り曲げ固定具が知られている（例えば、特許文献１参照）。図１７（ａ）は固定具の構成、図１７（ｂ）および図１７（ｃ）は図１７（ａ）の固定具の使い方の手順を示している。
【０００３】
このフラットケーブル固定具１は、フラットケーブルＦＣの長さ方向の中間部を挟持する挟持板２と、挟持板２の一辺に設けられた折り曲げ辺３と、挟持板２から突設された図示略の固定部とを有するものである。挟持板２は、一端側がヒンジ４で結合され、他側縁にロック部５が設けられた２つ割り型のものである。また、折り曲げ辺３の角度は、折り曲げるべきフラットケーブルＦＣの折り曲げ角度と等しくなるように設定されている。
【０００４】
この固定具１を使用する場合には、まず、２つ割り型の挟持板２でフラットケーブルＦＣを挟み込み、ロック部５をロックすることにより、図１７（ｂ）に示されるように、フラットケーブルＦＣの長手方向の中間部に固定具１を取り付ける。このとき、折り曲げ予定の線（これを本明細書では「折り曲げ線」という）は、折り曲げ辺３に位置合わせしておく。次に、折り曲げ辺３の位置を境界にして、フラットケーブルＦＣを折り曲げる。そして、その状態で車体等に固定具１の固定部を係合させることで、フラットケーブルＦＣの折れ曲がり部を固定する。
【０００５】
ところで、上述の従来のフラットケーブルを折り曲げるための手段は、部品単体で折り曲げた形状を安定保持できない。そのため、その後の作業、例えば車体に固定具を取付固定するときに、作業しづらい。
【０００６】
【特許文献１】特開平１０−９２２３８号公報
【発明の開示】
【発明が解決しようとする課題】
【０００７】
本発明は、上述した事情に鑑みてなされたものであり、その目的は、フラットケーブルの折り曲げを簡単且つ適切に行なうことができると共に、折り曲げた形状を安定して維持することのできるフラットケーブル用折り曲げ保持具を提供することにある。
【課題を解決するための手段】
【０００８】
前述した目的を達成するため、本発明に係るフラットケーブル用折り曲げ保持具は、下記（１）〜（１１）を特徴としている。
（１）  フラットケーブルを折り曲げる際の折り曲げ線が位置決めされる直線状の折り曲げ基準辺を外周縁に有すると共に、板面の表面側に前記折り曲げ線の手前側のフラットケーブルが載置され、且つ、板面の裏面側に前記折り曲げ線の先方側のフラットケールが載置される基板と、
該基板の表面側と裏面側にそれぞれ設けられ、前記折り曲げ線の手前側のフラットケーブルおよび先方側のフラットケーブルを前記基板の表面および裏面に沿わせてそれぞれ保持する保持片と、
前記基板上に設けられ、所定の挟角をもって延びる前記折り曲げ線の手前側と先方側のフラットケーブルの外側縁側に位置して、各保持片により保持された前記手前側と先方側のフラットケーブルの外側への跳ね返りを規制する規制部と、
を備えること。
（２）  上記（１）の構成のフラットケーブル用折り曲げ保持具において、
前記基板の表面側と裏面側の保持片の少なくとも一方が、該保持片と前記基板との間にフラットケーブルを挟持する挟持板として設けられ、且つ、前記規制部を兼ねる支持部により、基板との間にフラットケーブルを挿入し得る隙間を開けて片持支持されており、その保持片の自由端側に、該保持片と基板との間にフラットケーブルを挿入するための挿入口が確保されていること。
（３）  上記（２）の構成のフラットケーブル用折り曲げ保持具において、
前記基板の板面上に、前記フラットケーブル側の孔に係合することでフラットケーブルの長手方向の位置決めを行なう位置決め突起が設けられていること。
（４）  上記（２）または（３）の構成のフラットケーブル用折り曲げ保持具において、
前記挟持板として設けられた保持片の下面に、前記フラットケーブルの表面の凸部の嵌まる溝が形成されていること。
（５）  上記（１）の構成のフラットケーブル用折り曲げ保持具において、
前記基板の表面側と裏面側の保持片の少なくとも一方が、前記フラットケーブル側に形成された貫通孔に突き通すことでフラットケーブルを長手方向に位置決めしながら保持する貫通板として設けられ、且つ、前記規制部を兼ねる支持部により、基板との間にフラットケーブルを挿入し得る隙間を開けて片持支持されており、その保持片の自由端側に、該保持片と基板との間にフラットケーブルを挿入するための挿入口が確保されていること。
（６）  上記（５）の構成のフラットケーブル用折り曲げ保持具において、
前記貫通板として設けられた保持片の上面と下面に、前記フラットケーブルの表面の凸部の嵌まる溝が形成されていること。
（７）  上記（５）または（６）の構成のフラットケーブル用折り曲げ保持具において、
前記貫通板として設けられた保持片の自由端が楔形断面に形成されていること。
（８）  上記（２）〜（７）のいずれかの構成のフラットケーブル用折り曲げ保持具において、
前記挿入口または前記挿入口の延長上の位置に、挿入口から前記基板と保持片との間に挿入したフラットケーブルの抜け止めを行なう抜け止め突起が設けられていること。
（９）  上記（１）〜（８）のいずれかの構成のフラットケーブル用折り曲げ保持具において、
前記基板が、前記折り曲げ線の手前側のフラットケーブルおよび先方側のフラットケーブルがそれぞれ載置される左右一対の帯板状の袖部を有した平面視Ｌ字形をなしており、そのＬ字形の基板の外周角部が、前記各袖部の延長方向に対し傾斜した斜辺でカットされ、その斜辺でカットされた縁部が、前記折り曲げ線の長さ以上の長さを有した前記折り曲げ基準辺として形成されていること。
（１０）  上記（９）の構成のフラットケーブル用折り曲げ保持具において、
前記袖部のうちの少なくとも一方に、該袖部と共に前記フラットケーブルをテープ巻きするためのテープ巻き用凹部が設けられていること。
（１１）  上記（１）〜（１０）のいずれかの構成のフラットケーブル用折り曲げ保持具において、
前記基板の表面側および裏面側に、前記フラットケーブルを載置する位置およびフラットケーブルを前記保持片に係合させるための作業スペースを避けて、平坦な被取付面に対して安定的に当接させるための、前記保持片以上の高さを有する取付面が設けられていること。
【０００９】
上記（１）の構成のフラットケーブル用折り曲げ保持具によれば、折り曲げ基準辺を外周縁に持つ基板の表面側と裏面側に、折り曲げ線の手前側のフラットケーブルと先方側のフラットケーブルを保持することのできる保持片を設けているので、折り曲げ基準辺に折り曲げ線を位置決めしながら容易にフラットケーブルを折り曲げることができ、その上、折り曲げた後の形状を保持具単体で確実に保持することができる。また、スプリングバックの強いフラットケーブルを折り曲げた場合には、折り曲げた状態でフラットケーブルに外側へ跳ね返ろうとする力が発生するが、基板上にはフラットケーブルの外側への跳ね返りを規制する規制部を設けているので、確実に保持片によってフラットケーブルを定位置に保持することができる。従って、折り曲げた状態での形状保持性能が向上し、折り曲げ後に保持具を車体等に取り付ける場合に作業しやすくなる。
上記（２）の構成のフラットケーブル用折り曲げ保持具によれば、挟持板として設けられた保持片と基板との間にフラットケーブルを挿入するだけで、簡単にフラットケーブルを保持することができる。この場合、折り曲げ線の手前側と先方側のフラットケーブルの外側縁側に位置する規制部を支持部として保持片を片持支持しているので、保持片の自由端側である内側（前記挟角の内側）からフラットケーブルを保持片と基板との間に簡単に挿入することができる。
上記（３）の構成のフラットケーブル用折り曲げ保持具によれば、フラットケーブル側の孔に基板上の位置決め突起を係合させるだけで、簡単にフラットケーブルを長手方向に位置決めすることができる。従って、保持具単体で折り曲げる位置を適正に決めることができる。この場合のフラットケーブル側の孔は、最初からフラットケーブルの絶縁体に明けられたものであってもよいし、基板上の位置決め突起をフラットケーブルの絶縁体に突き刺すことにより、係合と同時に明けたものであってもよい。
上記（４）の構成のフラットケーブル用折り曲げ保持具によれば、挟持板として設けられた保持片の下面に、フラットケーブルの表面の凸部の嵌まる溝が形成されているので、導体配設部分が凸になったフラットケーブルであっても、保持片をフラットケーブルに密着させることができ、フラットケーブルをガタツキなく安定保持することができる。
上記（５）の構成のフラットケーブル用折り曲げ保持具によれば、フラットケーブル側に形成された貫通孔に、貫通板として形成された保持片を突き通すことで、簡単にフラットケーブルを長手方向に位置決めしながら基板上に保持することができる。従って、保持具単体で折り曲げる位置を適正に決めることができる。また、折り曲げ線の手前側と先方側のフラットケーブルの外側縁側に位置する規制部を支持部として保持片を片持支持しているので、保持片を貫通孔へ突き通した結果、保持片の下側になるフラットケーブルの幅方向の一部分を、保持片の自由端側である内側（前記挟角の内側）から保持片と基板との間に挿入することができ、保持片と基板との間で挟持することができる。
上記（６）の構成のフラットケーブル用折り曲げ保持具によれば、貫通板として設けられた保持片の上面と下面に、フラットケーブルの表面の凸部の嵌まる溝が形成されているので、導体配設部分が凸になったフラットケーブルであっても、フラットケーブルの貫通孔に保持片を突き通した結果、保持片の上面側と下面側に位置するフラットケーブルに対し保持片を密着させることができ、フラットケーブルをガタツキなく安定保持することができる。
上記（７）の構成のフラットケーブル用折り曲げ保持具によれば、貫通板として設けられた保持片の自由端が楔形断面に形成されているので、フラットケーブルの貫通孔に保持片を突き通しやすくなると共に、いったん突き通した後は抜けにくくなる。
上記（８）の構成のフラットケーブル用折り曲げ保持具によれば、挿入口または前記挿入口の延長上の位置に抜け止め突起を設けたので、挿入口から基板と保持片との間に挿入したフラットケーブルを確実に抜け止めすることができる。
上記（９）の構成のフラットケーブル用折り曲げ保持具によれば、基板を左右袖部を有する平面視Ｌ字形に形成して、その外周角部に斜めカットによる折り曲げ基準辺を設けたので、無駄のないコンパクトな形状の保持具とすることができる。
上記（１０）の構成のフラットケーブル用折り曲げ保持具によれば、テープ巻きによりフラットケーブルを固定する際に、テープを適正位置に確実に巻き付けることができる。
上記（１１）の構成のフラットケーブル用折り曲げ保持具によれば、基板に保持片以上の高さを有する取付面を設けたので、その取付面を平坦な被取付面に当接させることで、保持具をガタツキなく安定して取り付けることができる。
【発明の効果】
【００１０】
本発明によれば、フラットケーブルの折り曲げを簡単且つ適切に行なうことができると共に、折り曲げた形状を安定して維持することのできるフラットケーブル用折り曲げ保持具を提供することができる。
【００１１】
以上、本発明について簡潔に説明した。更に、以下に説明される発明を実施するための最良の形態を添付の図面を参照して通読することにより、本発明の詳細は更に明確化されるであろう。
【発明を実施するための最良の形態】
【００１２】
以下、本発明に係るフラットケーブル用折り曲げ保持具の第１実施形態、第２実施形態、第３実施形態および第４実施形態を図面に基づいて詳細に説明する。
【００１３】
尚、本発明に係るフラットケーブル用折り曲げ保持具が取り付けられるフラットケーブルとしては、上述したように、例えば、ＦＦＣ、リボン電線、等といった可撓性を有する本体を備えたものが例示される。ここでは、本発明に係るフラットケーブル用折り曲げ保持具の実施形態としてＦＦＣに取り付けられる形態のフラットケーブル用折り曲げ保持具を説明する。
【００１４】
即ち、後述される本発明に係るフラットケーブル用折り曲げ保持具の各実施形態は、平行に配置された複数の電線部と、それら複数の電線部の絶縁外皮間を繋ぐように当該絶縁外皮に一体的に形成されたブリッジ部と、該ブリッジ部に形成されたスリット状の貫通孔と、を有するＦＦＣに用いられる。
【００１５】
より詳細には、後述する本発明の各実施形態に用いたＦＦＣは、少なくとも一本の導線からなる導体部および該導体部の外周面を被覆する絶縁外皮を有する４本の電線部と、それら電線部を平行にそれらの絶縁外皮間を繋ぐように当該絶縁外皮に一体的に形成された３つの短冊状のブリッジ部と、該ブリッジ部の長手方向に沿った打ち抜きにより当該ブリッジ部に形成されたスリット状の貫通孔と、を有する。
【００１６】
＜第１実施形態＞
図１〜図６は第１実施形態のフラットケーブル用折り曲げ保持具を示すもので、図１は折り曲げ保持具の表面側から見た斜視図、図２は図１のＩＩ−ＩＩ矢視断面図、図３は折り曲げ保持具の裏面側にフラットケーブルを配した状態を表面側から見た斜視図、図４は図３の状態を裏面側から見た斜視図、図５は図３の次の操作として折り曲げ保持具の表面側にフラットケーブルを折り曲げようとしている状態を表面側から見た斜視図、そして図６は折り曲げを完了した状態を表面側から見た斜視図である。
【００１７】
図１に示されるように、このフラットケーブル用折り曲げ保持具１０は、基板１１と、保持片１２と、規制部１３とを有するプラスチックの一体成形品として構成されている。
【００１８】
基板１１は、フラットケーブルＦＣを折り曲げる際の折り曲げ線Ｓが位置決めされる直線状の折り曲げ基準辺１４を外周縁に有し、板面の表面ＴＡ側に折り曲げ線Ｓの手前側のフラットケーブルＦＣａが載置され、且つ、板面の裏面ＴＢ側に折り曲げ線Ｓの先方側のフラットケールＦＣｂが載置されるものである。ここで、折り曲げ線Ｓとは、フラットケーブルＦＣの長手方向に斜めに交差する直線で、折り曲げようとする位置に想定された仮想的な直線のことである。
【００１９】
基板１１は、折り曲げ線Ｓの手前側のフラットケーブルＦＣａおよび先方側のフラットケーブルＦＣｂがそれぞれ載置される左右一対の帯板状の袖部１１Ａ、１１Ｂを有した平面視Ｌ字形をなしており、そのＬ字形の基板１１の外周角部が、各袖部１１Ａ、１１Ｂの延長方向に対し傾斜した斜辺でカットされ、その斜辺でカットされた縁部が、折り曲げ線Ｓの長さ以上の長さを有した折り曲げ基準辺１４として形成されている。
【００２０】
保持片１２は、基板１１の表面ＴＡ側と裏面ＴＢ側にそれぞれ設けられており、折り曲げ線Ｓの手前側のフラットケーブルＦＣａおよび先方側のフラットケーブルＦＣｂを、基板１１の表面ＴＡおよび裏面ＴＢに沿わせてそれぞれ保持する機能を果たす。
【００２１】
規制部１３は、基板１１の各袖部１１Ａ、１１Ｂの外側縁に沿って設けられており、所定の挟角をもって延びる折り曲げ線Ｓの手前側と先方側のフラットケーブルＦＣａ、ＦＣｂの外側縁側に位置して、各保持片１２により保持された手前側と先方側のフラットケーブルＦＣａ、ＦＣｂの外側への跳ね返りを規制する機能を果たす。
【００２２】
本実施形態では、基板１１の表面ＴＡ側と裏面ＴＢ側の保持片１２が共に、保持片１２と基板１１との間にフラットケーブルＦＣ（ＦＣａ、ＦＣｂ）を挟持する挟持板として設けられており、前記規制部１３を兼ねる支持部１３ａにより、図２に示されるように、基板１１との間にフラットケーブルＦＣ（ＦＣａ、ＦＣｂ）を挿入し得る隙間Ｓｕを開けて片持支持され、基板１１の表面ＴＡおよび裏面ＴＢと略平行に配されている。この場合、保持片１２を成形するための型抜き穴１５が、保持片１２の下側の基板１１上に設けられており、この型抜き穴１５によって前記の隙間Ｓｕが確保されている。
【００２３】
そして、保持片１２が、規制部１３を兼ねる支持部１３ａによって片持支持されることにより、保持片１２の自由端１２ａ側に、保持片１２と基板１１との間にフラットケーブルＦＣ（ＦＣａ、ＦＣｂ）を挿入するための挿入口１６が確保されている。この挿入口１６に関しても、前記の型抜き穴１５によって少なくとも一部が確保されている。
【００２４】
また、挿入口１６を構成する保持片１２の自由端１２側の下面、並びに、挿入口１６の延長上に位置する基板１１の板面上には、挿入口１６から基板１１と保持片１２との間に挿入したフラットケーブルＦＣ（ＦＣａ、ＦＣｂ）の抜け止めを行なう抜け止め突起１７、１８が設けられている。こられの抜け止め突起１７、１８の頂面には、フラットケーブルＦＣ（ＦＣａ、ＦＣｂ）の挿入を容易にし且つ抜けを困難にする方向の傾斜が付けられている。
【００２５】
また、基板１１の袖部１１Ａ、１１ＢのフラットケーブルＦＣを載置する側の板面上には、フラットケーブルＦＣ（ＦＣａ、ＦＣｂ）側の孔（図示略）に係合することで、フラットケーブルＦＣ（ＦＣａ、ＦＣｂ）の長手方向の位置決めを行なう位置決め突起１９が設けられている。この場合の位置決め突起１９は、フラットケーブルＦＣ（ＦＣａ、ＦＣｂ）の絶縁体（より詳細にはブリッジ部）に突き刺さる形状のものであり、フラットケーブルＦＣ（ＦＣａ、ＦＣｂ）側の孔は、前記位置決め突起１９をフラットケーブルＦＣ（ＦＣａ、ＦＣｂ）の絶縁体に突き刺すことにより、係合と同時に明けられるようになっている。
【００２６】
また、挟持板として設けられた保持片１２の下面には、フラットケーブルＦＣ（ＦＣａ、ＦＣｂ）の表面の凸部（導体配設部が凸部となっている）Ｃｐの嵌まる溝１２ｍが形成されている。
【００２７】
また、基板１１の表面ＴＡ側および裏面ＴＢ側には、フラットケーブルＦＣ（ＦＣａ、ＦＣｂ）を載置する位置Ｒ１並びにフラットケーブルＦＣ（ＦＣａ、ＦＣｂ）を保持片１２に係合させるための作業スペースＲ２を避けて、平坦な被取付面に対して安定的に当接させるための、保持片１２以上の高さを有する取付面ＴＣが設けられている。取付面ＴＣは、基板１１を部分的に肉厚にしたり規制部１３として壁を起立させることによって確保されている。特に図中のＲ３で示す箇所は、図５に示されるように、フラットケーブルＦＣ（ＦＣａ、ＦＣｂ）をスムーズに保持片１２と基板１１との間に挿入するための作業スペースとして必要な箇所であることから、取付面ＴＣが切り欠かれている。
【００２８】
次に上記のように構成された折り曲げ保持具１０を用いて、フラットケーブルＦＣを折り曲げて保持する場合の手順を説明する。
【００２９】
まず、図３（表面ＴＡ側）、図４（裏面ＴＢ側）に示されるように、折り曲げ線Ｓを折り曲げ基準辺１４に位置決めしながら、例えば、折り曲げ保持具１０の裏面ＴＢ側にフラットケーブルＦＣをセットする。つまり、折り曲げ線Ｓの先方側のフラットケーブルＦＣｂを、挿入口１６から保持片１２と基板１１との間に挿入する。そうすると、保持片１２によって、基板１１との間にフラットケーブルＦＣｂが挟持される。このとき、フラットケーブルＦＣｂを位置決め突起１９に向けて押し付けることにより、位置決め突起１９をフラットケーブルＦＣｂの絶縁体に突き刺させ、それにより、フラットケーブルＦＣｂを長手方向に位置決めする。
【００３０】
次に、折り曲げ基準辺１４を曲げ型として、折り曲げ線ＳでフラットケーブルＦＣを保持具１０の表面ＴＡ側に折り曲げながら、折り曲げ線Ｓの手前側のフラットケーブルＦＣａを、表面ＴＡ側の挿入口１６から保持片１２と基板１１との間に挿入する。この場合も、フラットケーブルＦＣａを位置決め突起１９に向けて押し付けることにより、位置決め突起１９をフラットケーブルＦＣａの絶縁体に突き刺させ、それにより、フラットケーブルＦＣａを長手方向に位置決めする。
【００３１】
このように折り曲げたフラットケーブルＦＣａ、ＦＣｂを共に、表面ＴＡ側と裏面ＴＢ側の保持片１２にそれぞれ係合させることにより、折り曲げた後の形状を保持具１０単体で確実に保持することができる。また、スプリングバックの強いフラットケーブルＦＣの場合は、折り曲げた状態でフラットケーブルＦＣａ、ＦＣｂに外側へ跳ね返ろうとする力が発生するが、基板１１の外縁部に起立させて設けた規制部１３の働きにより、フラットケーブルＦＣａ、ＦＣｂの外側への跳ね返りを確実に規制することができるので、保持片１２によってフラットケーブルＦＣａ、ＦＣｂを適正位置に保持することができる。従って、折り曲げた状態での形状保持性能が向上し、折り曲げ後に保持具１０を車体等に取り付ける場合にも作業しやすくなる。
【００３２】
また、この折り曲げ保持具１０は、挟持板として設けられた保持片１２と基板１１との間に内側からフラットケーブルＦＣａ、ＦＣｂを挿入するだけで、簡単にフラットケーブルを保持することができるので、折り曲げ時の作業性がよい。しかも挿入口１６からフラットケーブルＦＣａ、ＦＣｂを挿入すると、抜け止め突起１７、１８の作用で抜け止めされるので、脱落の心配がない。
【００３３】
また、基板１１上に位置決め突起１９を設けて、簡単にフラットケーブルＦＣを長手方向に位置決めすることができるようにしてあるので、保持具１０単体で折り曲げる位置を適正に決めることができる。尚、この場合のフラットケーブルＦＣ側の孔は、最初からフラットケーブルＦＣの絶縁体に明けられたものであってもよいし、前述したように、基板１１上の位置決め突起１９をフラットケーブルＦＣの絶縁体に突き刺すことにより、係合と同時に明けたものであってもよい。
【００３４】
また、挟持板として設けられた保持片１２の下面には、フラットケーブルＦＣの表面の凸部Ｃｐの嵌まる溝１２ｍが形成されているので、図示例のように導体配設部分が凸になったフラットケーブルＦＣであっても、保持片１２をフラットケーブルＦＣに密着させることができ、フラットケーブルＦＣをガタツキなく安定保持することができる。
【００３５】
また、基板１１に保持片１２以上の高さを有する取付面ＴＣを設けているので、その取付面ＴＡを車体等の平坦な被取付面に当接させることにより、保持具１０をガタツキなく安定して取り付けることができる。
【００３６】
また、本実施形態の折り曲げ保持具１０は、基板１１を左右袖部１１Ａ、１１Ｂを有する平面視Ｌ字形に形成して、その外周角部に斜めカットによる折り曲げ基準辺１４を設けた構成としているので、無駄のないコンパクトな形状の保持具とすることができる。
【００３７】
＜第２実施形態＞
図７は第２実施形態のフラットケーブル用折り曲げ保持具の構成を示す斜視図、そして図８は同保持具にフラットケーブルをセットした状態を示す斜視図である。
【００３８】
この第２実施形態の折り曲げ保持具１０Ｂの前記第１実施形態の折り曲げ保持具１０との違いは、左右の袖部１１Ａ、１１Ｂの長さを延長して、各袖部１１Ａ、１１Ｂの保持片１２を設けた位置よりも各端部側の位置に、袖部１１Ａ、１１Ｂと共にフラットケーブルＦＣａ、ＦＣｂをテープ巻きするためのテープ巻き用凹部ＴＫを設けた点である。その他の構成は、第１実施形態と同じであるので、同一要素に同一符号を付して説明を省略する。
【００３９】
このようにテープ巻き用凹部ＴＫを設けた場合、テープＴＰを巻き付けてフラットケーブルＦＣａ、ＦＣｂを固定する際に、テープＴＰを適正位置に確実に巻き付けることができる利点が得られる。
【００４０】
＜第３実施形態＞
図９〜図１４は第３実施形態のフラットケーブル用折り曲げ保持具を示すもので、図９は折り曲げ保持具の表面側から見た斜視図、図１０は図９のＸ−Ｘ矢視断面図、図１１は折り曲げ保持具の裏面側にフラットケーブルを配した状態を表面側から見た斜視図、図１２は図１１の状態を裏面側から見た斜視図、図１３は図１１の次の操作として折り曲げ保持具の表面側にフラットケーブルを折り曲げようとしている状態を表面側から見た斜視図、そして図１４は折り曲げを完了した状態を表面側から見た斜視図である。
【００４１】
この第３実施形態の折り曲げ保持具１０Ｃの前記第１実施形態の折り曲げ保持具１０との違いは、基板１１の表面ＴＡ側と裏面ＴＢ側の保持片１２が、フラットケーブルＦＣ側に形成されたスリット状の貫通孔Ｃｓに突き通すことでフラットケーブルＦＣを長手方向に位置決めしながら保持する貫通板として設けられている点、また貫通板として設けられた保持片１２の上面と下面に、フラットケーブルＦＣの表面の凸部Ｃｐの嵌まる溝１２ｍが形成されている点、また貫通板として設けられた保持片１２の自由端１２ａが楔形断面に形成されている点である。その他の構成は、第１実施形態と同じであるので、同一要素に同一符号を付して説明を省略する。
【００４２】
この折り曲げ保持具１０Ｃを用いて、フラットケーブルＦＣを折り曲げて保持する場合は、次の手順で作業を進める。
【００４３】
まず、図１１（表面ＴＡ側）、図１２（裏面ＴＢ側）に示されるように、折り曲げ線Ｓを折り曲げ基準辺１４に位置決めしながら、例えば、折り曲げ保持具１０の裏面ＴＢ側にフラットケーブルＦＣをセットする。つまり、折り曲げ線Ｓの先方側のフラットケーブルＦＣｂの貫通孔Ｃｓに、貫通板として形成された保持片１２の自由端１２ａ側を突き通すことで、フラットケーブルＦＣｂの幅方向の略半分を保持片１２の上側に位置させ、残りの略半分を保持片１２の下側に位置させる。保持片１２の下側に位置する部分は、例えば、自由端１２ａ側に位置させて、挿入口１６から保持片１２と基板１１の間に挿入し、保持片１２で挟持する。また、保持片１２の上側に位置する部分は、保持片１２の根元側に押し込んで、フラットケーブルＦＣｂをできるだけフラットな状態に保持する。
【００４４】
このように、保持片１２をフラットケーブルＦＣｂの貫通孔Ｃｓに突き通すことで、簡単にフラットケーブルＦＣｂを長手方向に位置決めしながら基板１１上に保持することができる。従って、第１実施形態のような位置決め突起１９は不要である。
【００４５】
次に、折り曲げ基準辺１４を曲げ型として、折り曲げ線ＳでフラットケーブルＦＣを保持具１０Ｃの表面ＴＡ側に折り曲げながら、折り曲げ線Ｓの手前側のフラットケーブルＦＣａを、保持具１０Ｃの表面ＴＡ側に、裏面ＴＢ側と同様にセットする。即ち、折り曲げ線Ｓの手前側のフラットケーブルＦＣａの貫通孔Ｃｓに、貫通板として形成された保持片１２の自由端１２ａ側を突き通すことで、フラットケーブルＦＣａの幅方向の略半分を保持片１２の上側に位置させ、残りの略半分を保持片１２の下側に位置させる。保持片１２の下側に位置する部分は、例えば、自由端１２ａ側に位置させて、挿入口１６から保持片１２と基板１１の間に挿入し、保持片１２で挟持する。また、保持片１２の上側に位置する部分は、保持片１２の根元側に押し込んで、フラットケーブルＦＣａをできるだけフラットな状態に保持する。
【００４６】
このように、保持具１０Ｃの表面ＴＡ側についても、保持片１２をフラットケーブルＦＣｂの貫通孔Ｃｓに突き通すことで、簡単にフラットケーブルＦＣａを長手方向に位置決めしながら基板１１上に保持することができる。
【００４７】
従って、上記の如く、折り曲げたフラットケーブルＦＣａ、ＦＣｂを共に、表面ＴＡ側と裏面ＴＢ側の保持片１２にそれぞれ係合させることにより、折り曲げた後の形状を保持具１０Ｃ単体で確実に保持することができる。また、スプリングバックの強いフラットケーブルＦＣの場合は、折り曲げた状態でフラットケーブルＦＣａ、ＦＣｂに外側へ跳ね返ろうとする力が発生するが、基板１１の外縁部に起立させて設けた規制部１３の働きにより、フラットケーブルＦＣａ、ＦＣｂの外側への跳ね返りを確実に規制することができるので、保持片１２によってフラットケーブルＦＣａ、ＦＣｂを適正位置に保持することができる。従って、折り曲げた状態での形状保持性能が向上し、折り曲げ後に保持具１０Ｃを車体等に取り付ける場合にも作業しやすくなる。
【００４８】
また、この折り曲げ保持具１０Ｃは、貫通板として設けられた保持片１２を挟角の内側からフラットケーブルＦＣａ、ＦＣｂの貫通孔Ｃｓに突き通すだけで、簡単にフラットケーブルＦＣを保持することができるので、折り曲げ時の作業性がよい。しかも、挿入口１６から挿入したフラットケーブルＦＣａ、ＦＣｂの幅方向の略半分は、抜け止め突起１７、１８の作用で抜け止めされるので、フラットケーブルＦＣａ、ＦＣｂの脱落の心配がない。
【００４９】
また、貫通板として設けられた保持片１２の自由端１２ａが楔形断面に形成されているので、フラットケーブルＦＣａ、ＦＣｂの貫通孔Ｃｓに保持片１２を突き通しやすく、且つ、いったん突き通した後は抜けにくいという利点がある。
【００５０】
また、貫通板として設けられた保持片１２の上面と下面には、フラットケーブルＦＣの表面の凸部Ｃｐの嵌まる溝１２ｍが形成されているので、図示例のように導体配設部分が凸になったフラットケーブルＦＣであっても、保持片１２をフラットケーブルＦＣに密着させることができ、フラットケーブルＦＣをガタツキなく安定保持することができる。
【００５１】
また、基板１１に保持片１２以上の高さを有する取付面ＴＣを設けているので、その取付面ＴＡを車体等の平坦な被取付面に当接させることにより、保持具１０をガタツキなく安定して取り付けることができる。
【００５２】
また、本実施形態の折り曲げ保持具１０は、基板１１を左右袖部１１Ａ、１１Ｂを有する平面視Ｌ字形に形成して、その外周角部に斜めカットによる折り曲げ基準辺１４を設けた構成としているので、無駄のないコンパクトな形状の保持具とすることができる。
【００５３】
＜第４実施形態＞
図１５は第４実施形態のフラットケーブル用折り曲げ保持具の構成を示す斜視図、そして図１６は同保持具にフラットケーブルをセットした状態を示す斜視図である。
【００５４】
この第４実施形態の折り曲げ保持具１０Ｄの前記第３実施形態の折り曲げ保持具１０Ｃとの違いは、左右の袖部１１Ａ、１１Ｂの長さを延長して、各袖部１１Ａ、１１Ｂの保持片１２を設けた位置よりも各端部側の位置に、袖部１１Ａ、１１Ｂと共にフラットケーブルＦＣａ、ＦＣｂをテープ巻きするためのテープ巻き用凹部ＴＫを設けた点である。その他の構成は、第３実施形態と同じであるので、同一要素に同一符号を付して説明を省略する。
【００５５】
このようにテープ巻き用凹部ＴＫを設けた場合、テープＴＰを巻き付けてフラットケーブルＦＣａ、ＦＣｂを固定する際に、テープＴＰを適正位置に確実に巻き付けることができる利点が得られる。
【００５６】
尚、上記実施形態では、左右両袖部１１Ａ、１１Ｂに設けた保持片１２のタイプを同じものとした（第１、第２実施形態は両方とも挟持タイプ、第３、第４実施形態は両方とも突き通しタイプ）が、両タイプを左右で組み合わせてもよい。また、テープ巻き用凹部ＴＫを設ける点についても、必ずしも両袖部１１Ａ、１１Ｂに設けなくてもよい。
【００５７】
尚、本発明は、上述した各実施形態に限定されるものではなく、適宜、変形、改良、実施形態の組み合わせ、等が可能である。その他、上述した各実施形態における各構成要素の材質、形状、寸法、数値、形態、数、配置箇所、等は本発明を達成できるものであれば任意であり、限定されない。
【図面の簡単な説明】
【００５８】
【図１】本発明の第１実施形態のフラットケーブル用折り曲げ保持具の表面側から見た斜視図である。
【図２】図１のＩＩ−ＩＩ矢視断面図である。
【図３】同折り曲げ保持具の裏面側にフラットケーブルを配した状態を表面側から見た斜視図である。
【図４】図３の状態を裏面側から見た斜視図である。
【図５】図３の次の操作として折り曲げ保持具の表面側にフラットケーブルを折り曲げようとしている状態を表面側から見た斜視図である。
【図６】同折り曲げ保持具の折り曲げを完了した状態を表面側から見た斜視図である。
【図７】本発明の第２実施形態のフラットケーブル用折り曲げ保持具の構成を示す斜視図である。
【図８】同折り曲げ保持具にフラットケーブルをセットした状態を示す斜視図である。
【図９】本発明の第３実施形態のフラットケーブル用折り曲げ保持具の表面側から見た斜視図である。
【図１０】図９のＸ−Ｘ矢視断面図である。
【図１１】同折り曲げ保持具の裏面側にフラットケーブルを配した状態を表面側から見た斜視図である。
【図１２】図１１の状態を裏面側から見た斜視図である。
【図１３】図１１の次の操作として折り曲げ保持具の表面側にフラットケーブルを折り曲げようとしている状態を表面側から見た斜視図である。
【図１４】同折り曲げ保持具の折り曲げを完了した状態を表面側から見た斜視図である。
【図１５】本発明の第４実施形態のフラットケーブル用折り曲げ保持具の構成を示す斜視図である。
【図１６】同折り曲げ保持具にフラットケーブルをセットした状態を示す斜視図である。
【図１７】従来の折り曲げ固定具を示す図で、（ａ）は同固定具の構成、（ｂ）および（ｃ）はその使い方の手順を示す図である。
【符号の説明】
【００５９】
１０，１０Ｂ，１０Ｃ，１０Ｄ  折り曲げ保持具
１１  基板
１１Ａ，１１Ｂ  袖部
１２  保持片
１２ａ  自由端
１２ｍ  溝
１３  規制部
１３ａ  支持部
１４  折り曲げ基準辺
１６  挿入口
１７，１８  抜け止め突起
１９  位置決め突起
Ｃｓ  貫通孔
Ｃｐ  凸部
ＦＣ  フラットケーブル
ＦＣａ  折り曲げ線の手前側のフラットケーブル
ＦＣｂ  折り曲げ線の先方側のフラットケーブル
Ｒ１  フラットケーブルを載置する位置
Ｒ２  フラットケーブルを保持片に係合させるための作業スペース
Ｓ  折り曲げ線
Ｓｕ  隙間
ＴＡ  表面
ＴＢ  裏面
ＴＣ  取付面
ＴＫ  テープ巻き用凹部
ＴＰ  テープ
【図１】
2007109497.tif 000003
【図２】
2007109497.tif 000004
【図３】
2007109497.tif 000005
【図４】
2007109497.tif 000006
【図５】
2007109497.tif 000007
【図６】
2007109497.tif 000008
【図７】
2007109497.tif 000009
【図８】
2007109497.tif 000010
【図９】
2007109497.tif 000011
【図１０】
2007109497.tif 000012
【図１１】
2007109497.tif 000013
【図１２】
2007109497.tif 000014
【図１３】
2007109497.tif 000015
【図１４】
2007109497.tif 000016
【図１５】
2007109497.tif 000017
【図１６】
2007109497.tif 000018
【図１７】
2007109497.tif 000019